(57)【要約】      （修正有）【課題】文字やナンバリングの認識を行わない帳票仕分け方法の提供。【解決手段】ホッパ部２に積層された複数の帳票１をスキャン部６に搬送して帳票１の画像情報を読み取り、読み取った画像情報に含まれるロゴ及び枠の配置特徴パターンを判定し、この判定した配置特徴パターン毎の画像情報をイメージＤＢに記憶しておき、次いで帳票１をスキャン部６により再度読み取り、読み取った再読み取り画像情報と前記記憶した画像情報とをパターンマッチングにより比較し、パターンが一致した画像情報の帳票を、前記配置特徴パターンに応じたソータスタッカ部３の所定のスタッカに排出することによって、文字やナンバリングの認識を行うことなく複数の帳票の仕分けを行う。【選択図】図１
2009011874.tif 000002
【特許請求の範囲】
【請求項１】
複数の帳票を積層するホッパ部と、該ホッパ部から搬送される帳票の画像情報を読み取るスキャン部と、該スキャン部により画像情報を読み取った帳票を仕分けして複数のスタッカに格納するソータスタッカ部と、前記ホッパ部から帳票をスキャン部に搬送して画像情報を読み取り、該読み取った帳票をソフトスタッカ部に排出するコンピュータとを備える光学的文字読取システムであって、
前記コンピュータが、
前記ホッパ部に積層された複数の帳票をスキャン部に搬送して画像情報を読み取り、該読み取った画像情報に含まれるロゴ及び枠の配置特徴パターンを判定し、該判定した配置特徴パターン毎の画像情報を記憶する第１工程と、
前記複数の帳票をスキャン部により再度読み取り、該読み取った再読み取り画像情報と前記第１工程により記憶した画像情報とをパターンマッチングにより比較し、パターンが一致した画像情報の帳票を、前記配置特徴パターンに応じたソータスタッカ部の所定のスタッカに排出する第２工程とを行う光学的文字読取システム。
【請求項２】
前記スキャン部により画像情報を読み取った帳票を一時的に収納する一時スタッカ部を備え、前記第１工程により画像情報を読み取った帳票を前記一時スタッカ部に収納し、前記第２工程において前記一時スタッカ部に収納した帳票をホッパ部に移送し、該ホッパ部に収納した帳票の読み取りを行う請求項１記載の光学的文字読取システム。
【請求項３】
複数の帳票を積層するホッパ部と、該ホッパ部から搬送される帳票の画像情報を読み取るスキャン部と、該スキャン部により画像情報を読み取った帳票を仕分けして複数のスタッカに格納するソータスタッカ部と、前記ホッパ部から帳票をスキャン部に搬送して画像情報を読み取り、該読み取った帳票をソフトスタッカ部に排出するコンピュータとを備える光学的文字読取システムにおける帳票仕分け方法であって、
前記コンピュータが、
前記ホッパ部に積層された複数の帳票をスキャン部に搬送して画像情報を読み取り、該読み取った画像情報に含まれるロゴ及び枠の配置特徴パターンを判定し、該判定した配置特徴パターン毎の画像情報を記憶し、
前記複数の帳票をスキャン部により再度読み取り、該読み取った再読み取り画像情報と前記記憶した画像情報とをパターンマッチングにより比較し、パターンが一致した画像情報の帳票を、前記配置特徴パターンに応じたソータスタッカ部の所定のスタッカに排出する帳票仕分け方法。
【請求項４】
前記光学的文字読取システムにスキャン部により画像情報を読み取った帳票を一時的に収納する一時スタッカ部を設け、前記配置特徴パターン毎の画像情報を記憶した帳票を前記一時スタッカ部に収納し、前記一時スタッカ部に収納した帳票をホッパ部に移送し、該ホッパ部に収納した帳票の読み取りを行う請求項３記載の帳票仕分け方法。
【発明の詳細な説明】
【技術分野】
【０００１】
本発明は、光学的文字読取システムにおける多種の帳票を自動的に仕分けることができる帳票仕分け方法及び該帳票仕分け方法を用いた光学的文字読取システムに関する。
【背景技術】
【０００２】
一般に光学的文字読取システムは、帳票に記載された文字を光学的にスキャンし、このスキャンした画像情報から文字を切り出して文字の認識を行うものであり、近年においては、金融機関等において多種多様の帳票が混在した帳票束をセットし、このセットした帳票束から帳票の順次読み取りを行い、読み取った帳票を種類別にソートする自動ソート技術が望まれている。
【０００３】
この帳票を種類別にソートする自動ソート技術が記載された文献としては、下記特許文献が挙げられ、特許文献１には、帳票に記載されたデータを読み取る読取手段と、この読み取った帳票のデータを認識する認識手段と、前記読み取った帳票のデータおよび認識手段により認識した帳票の文字データを記憶するデータ記憶手段と、前記データを読み取った帳票を一時的に保留する一時保留手段と、前記データ記憶手段に記憶した帳票のデータを確認・修正する修正手段と、前記一時保留手段に保留した帳票を仕分け収納する複数の収納手段と、前記修正手段で確認・修正したデータに基づいて前記一時保留手段に保留した帳票の前記収納手段への仕分け収納を制御する仕分け制御手段とを設け、読み取った全ての帳票を一時保留手段に一時保留し、記憶手段に記憶した文字の認識結果に基づいて帳票の仕分けを行うことが記載されている。
【０００４】
また特許文献２には、多種多様の口座振替依頼書のイメージを順番に自動的に読み取り各口座振替依頼書に未可視インクにより受付日付・束連番等の格納ファイルデータをナンバリングする工程と、口座振替依頼書の読み取りイメージデータに基づいてイメージ検索及び口座振替依頼書の仕分けのための属性データを作成するイメージデータエントリー処理を行う工程と、口座振替依頼書仕分けのための属性データをコンピュータに取り込み仕分けテーブルを作成する工程と、多種多様の口座振替依頼書の未可視格納ファイルデータを帳票仕分け処理装置のスキャナで読み取りこの読み取りデータと仕分けテーブルに基づいて多種多様の口座振替依頼書を自動的に仕分ける口座振替依頼書のソート処理を行う工程とを行うことが記載されている。
【特許文献１】特開２００６−１４３３６９号公報
【特許文献２】特開２００２−３１８９２４号公報
【発明の開示】
【発明が解決しようとする課題】
【０００５】
しかしながら、前記特許文献１記載の技術は、文字認識が不能な帳票が混在していた場合、管理者が装置に常駐し、読み取り不能な帳票が発生する度に認識不能な帳票を人手により仕分けしなければならず、操作者の管理作業が煩雑になると言う不具合があった。
【０００６】
また特許文献２記載の技術は、帳票に格納ファイルデータをナンバリングを施しておく必要があり、多種多様な帳票にナンバリングを行うことが困難な帳票に対しては仕分けを行うことができないと言う不具合があった。
【０００７】
本発明の目的は、文字及びナンバリングの認識を行うことなく帳票の仕分けを行うことができる帳票仕分け方法及び該帳票仕分け方法を用いた光学的文字読取システムを提供することである。
【課題を解決するための手段】
【０００８】
前記目的を解決するために本発明は、複数の帳票を積層するホッパ部と、該ホッパ部から搬送される帳票の画像情報を読み取るスキャン部と、該スキャン部により画像情報を読み取った帳票を仕分けして複数のスタッカに格納するソータスタッカ部と、前記ホッパ部から帳票をスキャン部に搬送して画像情報を読み取り、該読み取った帳票をソフトスタッカ部に排出するコンピュータとを備える光学的文字読取システムであって、
前記コンピュータが、
前記ホッパ部に積層された複数の帳票をスキャン部に搬送して画像情報を読み取り、該読み取った画像情報に含まれるロゴ及び枠の配置特徴パターンを判定し、該判定した配置特徴パターン毎の画像情報を記憶する第１工程と、
前記複数の帳票をスキャン部により再度読み取り、該読み取った再読み取り画像情報と前記第１工程により記憶した画像情報とをパターンマッチングにより比較し、パターンが一致した画像情報の帳票を、前記配置特徴パターンに応じたソータスタッカ部の所定のスタッカに排出する第２工程とを行うことを第１の特徴とする。
【０００９】
また本発明は、前記光学的文字読取システムにおいて、前記スキャン部により画像情報を読み取った帳票を一時的に収納する一時スタッカ部を備え、前記第１工程により画像情報を読み取った帳票を前記一時スタッカ部に収納し、前記第２工程において前記一時スタッカ部に収納した帳票をホッパ部に移送し、該ホッパ部に収納した帳票の読み取りを行うことを第２の特徴とする。
【００１０】
更に本発明は、複数の帳票を積層するホッパ部と、該ホッパ部から搬送される帳票の画像情報を読み取るスキャン部と、該スキャン部により画像情報を読み取った帳票を仕分けして複数のスタッカに格納するソータスタッカ部と、前記ホッパ部から帳票をスキャン部に搬送して画像情報を読み取り、該読み取った帳票をソフトスタッカ部に排出するコンピュータとを備える光学的文字読取システムにおける帳票仕分け方法であって、
前記コンピュータが、
前記ホッパ部に積層された複数の帳票をスキャン部に搬送して画像情報を読み取り、該読み取った画像情報に含まれるロゴ及び枠の配置特徴パターンを判定し、該判定した配置特徴パターン毎の画像情報を記憶し、
前記複数の帳票をスキャン部により再度読み取り、該再読み取りを行った画像情報と前記記憶した画像情報とをパターンマッチングにより比較し、パターンが一致した画像情報の帳票を、前記配置特徴パターンに応じたソータスタッカ部の所定のスタッカに排出することを第３の特徴とする。
【００１１】
また本発明は、前記帳票仕分け方法において、光学的文字読取システムにスキャン部により画像情報を読み取った帳票を一時的に収納する一時スタッカ部を設け、前記配置特徴パターン毎の画像情報を記憶した帳票を前記一時スタッカ部に収納し、前記一時スタッカ部に収納した帳票をホッパ部に移送し、該ホッパ部に収納した帳票の読み取りを行うことを第４の特徴とする。
【発明の効果】
【００１２】
本発明は、帳票の種類毎に異なるロゴ及び枠の配置特徴パターンを用いて帳票の種類を判別しておき、次いで帳票の画像データの再読み込みを行い、前記種類を判別した帳票の画像情報と再読み込みを行った画像情報とをパターンマッチングにより比較し、パターンが一致した画像情報の帳票を配置特徴パターンに応じたソータスタッカ部の所定のスタッカに排出することによって、文字及びナンバリングの認識を行うことなく帳票の仕分けを行うことができる。
【発明を実施するための最良の形態】
【００１３】
以下、本発明による帳票仕分け方法を用いた光学的文字読取システムの一実施形態を図面を参照して詳細に説明する。図１〜図４は本発明の一実施形態による光学的文字読取システムの各工程を示す図、図５は本発明の対象となる帳票例を説明するための図、図６は帳票種別による帳票の配置特徴パターンを説明するための図、図７は帳票の特徴によるグルーピングを説明するための図、図８は本実施形態による帳票仕分け方法の第１工程のフローを示す図、図９は本実施形態による帳票仕分け方法の第２工程のフローを示す図である。
【００１４】
まず本実施形態による光学的文字読取システムは、図１に示す如く、複数の帳票１を積層するホッパ部２と、該ホッパ部２から１枚づつ帳票を繰り出し、帳票１の画像情報を読み取るスキャン部６と、該スキャン部６にてスキャンした帳票１を後述する動作により仕分け等を行って収納する複数のスタッカを含むソータスタッカ部３と、前記スキャン部６による読取エラー等が発生したリジェクト帳票を収納するリジェクトスタッカ部４と、前記各部位を制御するパーソナルコンピュータ（ＰＣ）５と、後述する配置特徴パターンや読み取った画像情報を記憶するイメージデータベース７とから構成され、ＰＣ５が、ホッパ部２に積層した帳票１を１枚づつ繰り出してスキャン部６により帳票の画像情報を読み取り、該画像情報に含まれる文字を切り出して文字データとして認識すると共に、該読み取りが終了した帳票を仕分けしてソータスタッカ部３に収納する様に構成されている。
【００１５】
前記ＰＣ５は、ＯＳや各種プログラムを記憶するハードディスク装置、メモリ、ＣＰＵ、キーボード、表示装置等により構成され、特にハードディスク装置には画像情報をグループ分けして格納するイメージデータベース（ＤＢ）が用意されている。また、前記リジェクトスタッカ部４は、一般には前述した読み取り不能な帳票の排出先であるが、本実施形態においては後述するように帳票の一時保管場所として使用される。
【００１６】
ここで本実施形態の読み取り対象となる帳票について説明すると、これら帳票は、例えば図５に示す如く、Ａ〜Ｄの４つにグループに大別され、Ａグループの如く、２０ｃｍ×１０ｃｍサイズの横長の用紙にタイトルロゴ（「入会申込書」）及び所定項目を記入するための２段の枠とが配置された帳票５１と、Ｂグループの如く、１５ｃｍ×２０ｃｍサイズの用紙に３列３段の記入枠及び氏名や日付の記入欄がロゴとして配置された帳票５２と、Ｃグループの如く、１５ｃｍ×１５ｃｍサイズの用紙に枠が無く且つ文字を含むロゴ（「お知らせ」「キャンペーン」）が配置された帳票５３の如く構成されている。これら各種グループの帳票サイズやロゴ及び枠の配置の特徴を本出願においては「配置特徴パターン」と呼び、この配置特徴パターンは、予めハードディスク装置又は前記イメージデータベース７に登録されているものとする。
【００１７】
次に、前述の様に構成された光学的文字読取システムの動作を図１〜図４の構成図及び図８〜図９のフロー図を参照して説明する。
まず、本実施形態による光学的文字読取システムは、図１及び図８に示す如く、第１工程として、ホッパ部２に複数の帳票１を積層するステップＳ８０１と、この積層した複数の帳票１を順次１枚づつ繰り出して搬送し、この搬送された帳票１の画像情報を前記スキャン部６により読み取るステップＳ８０２と、前記読み取った帳票１をリジェクトスタッカ部４に一時的に排出するステップＳ８０３と、前記ステップＳ８０２により読み込んだ帳票の画像情報をイメージデータベース（ＤＢ）７に記憶するステップＳ８０４とを実行する。
【００１８】
次いで本システムは、前記ハードディスク装置に予め記憶した複数の帳票の配置特徴パターンと前記ステップＳ８０４にて読み込んだ複数帳票の画像情報とを比較し、帳票サイズ／枠位置／ロゴを基に、配置特徴パターンと読み込んだ画像情報との類似度を算出するステップＳ８０５と、該算出した類似を所定の固定閾値を基に前述したグループ毎にグルーピングするステップＳ８０６と、該ステップＳ８０６によるグルーピングされた仕分けが正しいか否か等のユーザ確認修正を入力するステップＳ８０７と、前記各ステップによりグルーピングされた帳票を排出するスタッカを指定するステップＳ８０８とを実行することにより、図２に示す如く、読み込んだ複数の帳票をグループ（配置特徴パターン）別にイメージデータベース（ＤＢ）７に記憶する。
【００１９】
このイメージデータＤＢ７への記憶は、図７に示す如く、読み込んだ帳票の順番に番号を付与し、この帳票入力番号８，１３，１４・・・がグループＡ、帳票入力番号２，４，１２・・がグループＢ、帳票入力番号１，５，６・・がグループＣ等に配置特徴パターン毎にグループ分けして行われる。
【００２０】
次いで本光学的文字読取システムは、図３及び図９に示した第２工程の如く、前記ステップＳ８０３によりリジェクトスタッカ部４に一時的に格納した複数の帳票１をホッパ部２に戻すようにセットするステップＳ９０１と、このセットした帳票１を順次搬送してスキャン部６により画像情報の読み込むステップＳ９０２と、この読み込んだ画像情報と前記ハードディスク装置のイメージデータベース７に記憶した画像情報とをパターンマッチングにより比較し、読み込んだ画像情報のグループを判定して予めグループ毎に指定された、ソータスタッカ部３の所定のスタッカに排出するステップＳ９０４とを実行する。
【００２１】
この様に本実施形態による帳票仕分け方法及び光学的文字読取システムは、第１回目に読み込んだ帳票の画像情報に含まれる帳票サイズとロゴと枠の配置に基づく配置特徴パターンを用いて帳票をグループに仕分けし、該グループ分けした画像情報を記憶する第１工程と、第２回目に読み込んだ帳票の画像情報と前記第１工程でグループ分けした画像情報とのパターンマッチングを行い、このパターンマッチング結果に応じて帳票を指定のスタッカに排出する第２工程とを行うことにより、帳票に記載された文字やナンバリングの認識をすることなく、複数の帳票を仕分けすることができる。
【００２２】
尚、前述の実施形態では帳票の２度の画像情報の読み込みを行う例を説明したが、前記図８のステップＳ８０８においてグループ分けした帳票が所定の順番で積層されていることを利用し、前記図７に示した帳票入力番号を基にリジェクトスタッカ部４に一時的に収納した帳票を、図７のテーブルを参照してソータスタッカ部３の所定のスタッカに排出する様に構成しても良い。更に前記実施形態においては、画像情報他をデータベースやハードディスク装置に記憶するとして説明したが、大容量の半導体メモリに記憶しても良い。また前記実施形態においては、図９のステップＳ９０２において画像をスキャンした帳票をソータスタッカ部に直接排出する例を説明したが、画像スキャンした帳票を一旦リジェクトスタッカ部に一時的に保管し、前述した帳票入力番号を基に帳票の種別（配置特徴パターン）に応じてソータスタッカ部の所定のスタッカに排出するようにしても良い。
【図面の簡単な説明】
【００２３】
【図１】本発明の一実施形態による光学的文字読取システムの第１工程を示す図。
【図２】本実施形態による光学的文字読取システムの第２工程を示す図。
【図３】本実施形態による光学的文字読取システムの第３工程を示す図。
【図４】本実施形態による光学的文字読取システムの第４工程を示す図。
【図５】本発明の対象となる帳票例を説明するための図。
【図６】帳票種別による帳票の特徴を説明するための図。
【図７】帳票の特徴によるグルーピングを説明するための図。
【図８】本実施形態による帳票仕分け方法のフローを示す図。
【図９】本実施形態による帳票仕分け方法のフローを示す図。
【符号の説明】
【００２４】
１：帳票、２：ホッパ部、３：ソータスタッカ部、４：リジェクトスタッカ部、５：パーソナルコンピュータ、６：スキャン部、７：イメージデータベース。
【図１】
2009011874.tif 000003
【図２】
2009011874.tif 000004
【図３】
2009011874.tif 000005
【図４】
2009011874.tif 000006
【図５】
2009011874.tif 000007
【図６】
2009011874.tif 000008
【図７】
2009011874.tif 000009
【図８】
2009011874.tif 000010
【図９】
2009011874.tif 000011